(57)【要約】【課題】車体の静止側部材に支持されるパネル本体へのパネル部材の取り付けが強固になされるようにすると共に、パネル本体からのパネル部材の取り外し作業が容易にできるようにする。【解決手段】インスツルメントパネル５が、車体１の静止側部材７に支持されるパネル本体１２と、パネル本体１２の後方側に配置されるパネル部材１３と、パネル部材１３の下部を車体１の静止側部材７に係脱可能に係止する係止具２４と、パネル部材１３の上部から前方に向かって突出し、パネル本体１２に形成された係止孔２８に挿入されて係止孔２８の孔縁部に係脱可能に係止される係止突起３１とを備える。パネル部材１３の上部から下方に向かって突出し、パネル本体１２に形成された係止部３５にその上方から係脱可能に係止される被係止部３６を設ける。係止孔２８の上部に、パネル本体１２に対する係止突起３１の上方移動Ａを許容する隙間３８を形成する。【選択図】図１
2015182754.tif 000002
【特許請求の範囲】
【請求項１】
車体内部の車室の前面を形成するインスツルメントパネルが、車体の静止側部材に支持されるパネル本体と、このパネル本体とは別体として設けられ、このパネル本体の後方側に配置されるパネル部材と、このパネル部材の下部を上記車体の静止側部材に係脱可能に係止する係止具と、上記パネル部材の上部から前方に向かって突出し、上記パネル本体に形成された係止孔に挿入されてこの係止孔の孔縁部に係脱可能に係止される係止突起とを備えた車両におけるインスツルメントパネル装置において、
上記パネル部材の上部から下方に向かって突出し、上記パネル本体に形成された係止部にその上方から係脱可能に係止される被係止部を設け、上記係止孔の上部に、上記パネル本体に対する上記係止突起の上方移動を許容する隙間を形成したことを特徴とする車両におけるインスツルメントパネル装置。
【発明の詳細な説明】
【技術分野】
【０００１】
本発明は、車体内部の車室の前面を形成するインスツルメントパネルが、車体の静止側部材に支持されるパネル本体と、このパネル本体に係止されるパネル部材とを備えた車両におけるインスツルメントパネル装置に関するものである。
【背景技術】
【０００２】
上記車両におけるインスツルメントパネル装置には、従来、下記特許文献１に示されるものがある。この公報のものによれば、車体内部の車室の前面を形成するインスツルメントパネルが、車体の静止側部材に支持されるパネル本体と、このパネル本体とは別体として設けられ、このパネル本体の後方側に配置されて上記パネル本体に締結具により締結されるパネル部材とを備えている。
【０００３】
そして、上記構成によれば、パネル本体へのパネル部材の取り付けは締結具によるため、この取り付けは強固になされると考えられる。しかし、締結具を用いての締結作業は煩雑であることから、その分、上記パネル本体へのパネル部材の取り付け作業は煩雑になるおそれがある。
【０００４】
そこで、従来、上記構成に加えて、インスツルメントパネルが、上記パネル部材の下部を車体の静止側部材に係脱可能に係止する係止具と、上記パネル部材の上部から前方に向かって突出し、上記パネル本体に形成された係止孔に挿入されてこの係止孔の孔縁部に係脱可能に係止される係止突起とを備えたものがある。
【０００５】
そして、上記従来の技術によれば、パネル本体に対するパネル部材の取り付けは係止により達成されるのであって、締結具にはよらないことから、その分、上記取り付け作業は、より容易にできることとされる。
【０００６】
一方、上記従来の技術において、車室における乗員などから上記パネル部材に対しその上方から外力が与えられた場合には、このパネル部材の前方側にパネル本体が存在する関係で、上記パネル部材の上部は上記係止具を中心として後方に回動しがちとなる。しかし、この回動は、上記係止孔への係止突起の係止により防止され、もって、上記パネル本体へのパネル部材の取り付け状態が保持されるようになっている。
【先行技術文献】
【特許文献】
【０００７】
【特許文献１】特開平２００５−７５０８９号公報
【発明の概要】
【発明が解決しようとする課題】
【０００８】
ところで、上記パネル部材に与えられる外力が大きい場合には、上記パネル本体へのパネル部材の取り付け状態は保持されるとしても、このパネル部材はパネル本体に係止されたものであるため、その取り付け強度が不足しがちとなって、上記パネル部材はわずかながらでもパネル本体に対し後方に変位し、この結果、パネル本体へのパネル部材の建付け精度が低下するおそれを生じる。
【０００９】
そこで、上記パネル本体に対するパネル部材の取り付け作業が容易にできることを維持しつつ、パネル本体へのパネル部材の取り付けを、より強固にさせるため、パネル本体にパネル部材を係止させる別途の係止手段を設けることが考えられる。しかし、このような係止手段を単に設けると、その後、何らかの理由でパネル本体からパネル部材を取り外そうとして上記係止手段による係止を解除しようとする際、この係止解除の作業が、前記係止孔への係止突起の係止状態に邪魔されて、上記パネル部材の取り外し作業が煩雑になるおそれを生じる。
【課題を解決するための手段】
【００１０】
本発明は、上記のような事情に注目してなされたもので、本発明の目的は、車体の静止側部材に支持されるパネル本体へのパネル部材の取り付け作業が容易にできるようにしたものでありながら、上記パネル本体へのパネル部材の取り付けが強固になされるようにすると共に、パネル本体からのパネル部材の取り外し作業が容易にできるようにすることである。
【００１１】
請求項１の発明は、車体１内部の車室４の前面を形成するインスツルメントパネル５が、車体１の静止側部材７に支持されるパネル本体１２と、このパネル本体１２とは別体として設けられ、このパネル本体１２の後方側に配置されるパネル部材１３と、このパネル部材１３の下部を上記車体１の静止側部材７に係脱可能に係止する係止具２４と、上記パネル部材１３の上部から前方に向かって突出し、上記パネル本体１２に形成された係止孔２８に挿入されてこの係止孔２８の孔縁部に係脱可能に係止される係止突起３１とを備えた車両におけるインスツルメントパネル装置において、
上記パネル部材１３の上部から下方に向かって突出し、上記パネル本体１２に形成された係止部３５にその上方から係脱可能に係止される被係止部３６を設け、上記係止孔２８の上部に、上記パネル本体１２に対する上記係止突起３１の上方移動Ａ（図１中一点鎖線）を許容する隙間３８を形成したことを特徴とする車両におけるインスツルメントパネル装置である。
【００１２】
なお、この項において、上記各用語に付記した符号や図面番号は、本発明の技術的範囲を後述の「実施例」の項や図面の内容に限定解釈するものではない。
【発明の効果】
【００１３】
本発明による効果は、次の如くである。
【００１４】
請求項１の発明は、車体内部の車室の前面を形成するインスツルメントパネルが、車体の静止側部材に支持されるパネル本体と、このパネル本体とは別体として設けられ、このパネル本体の後方側に配置されるパネル部材と、このパネル部材の下部を上記車体の静止側部材に係脱可能に係止する係止具と、上記パネル部材の上部から前方に向かって突出し、上記パネル本体に形成された係止孔に挿入されてこの係止孔の孔縁部に係脱可能に係止される係止突起とを備えた車両におけるインスツルメントパネル装置において、
上記パネル部材の上部から下方に向かって突出し、上記パネル本体に形成された係止部にその上方から係脱可能に係止される被係止部を設け、上記係止孔の上部に、上記パネル本体に対する上記係止突起の上方移動を許容する隙間を形成している。
【００１５】
このため、車体の静止側部材に支持されるパネル本体へのパネル部材の取り付けは、パネル本体の係止孔にパネル部材の係止突起が係止されることに加え、上記パネル本体の係止部に上記パネル部材の被係止部が係止されることにより達成されるのであって、締結具を用いないことから、上記パネル本体へのパネル部材の取り付け作業は容易にできる。
【００１６】
そして、上記したように、パネル本体へのパネル部材の取り付けは、上記した係止孔への係止突起の係止に加え、上記係止部への被係止部の係止により達成されるため、上記パネル本体へのパネル部材の取り付けは強固になされる。よって、上記パネル部材にその上方から与えられる外力が大きくて、このパネル部材の上部が上記係止具を中心として後方に回動しようとしても、上記パネル部材がパネル本体に対し後方に変位することは阻止されて、このパネル本体へのパネル部材の建付け精度が良好に維持される。
【００１７】
一方、上記パネル本体からパネル部材を取り外す取り外し作業をする場合には、まず、静止側部材に対するパネル部材の上記係止具による係止を解除する。次に、パネル本体の係止部に対するパネル部材の被係止部の係止方向である下方とは逆に、パネル本体の係止部に対しパネル部材と共に被係止部を上方移動させて上記係止部への被係止部の係止を解除する。また、この際、上記パネル部材の上方移動と共に上記係止突起も、上記係止孔への係止状態を維持したまま、もしくはこの係止が解除されつつ上方移動するが、この際の係止突起の上方移動は、上記係止孔の上部に形成された隙間により許容される。
【００１８】
よって、前記したようにパネル本体へのパネル部材の取り付けを強固にするために上記係止部およびこの係止部に係止される被係止部を設けたが、これら係止部への被係止部の係止の解除は、上記係止孔への係止突起の係止状態に邪魔されることなく容易にできる。この結果、上記パネル本体からのパネル部材の取り外し作業が容易にできる。
【００１９】
また、上記したように、パネル本体からパネル部材を取り外す作業を容易にさせることは、主に、上記係止突起の上方移動を許容する隙間を上記係止孔に形成したことにより達成されることから、上記したパネル部材の取り外し作業の容易化は簡単な構成で達成できる。
【図面の簡単な説明】
【００２０】
【図１】インスツルメントパネルの側面部分断面部分破断図である。
【図２】インスツルメントパネルの斜視図である。
【図３】図１のIII−III線矢視拡大断面図である。
【図４】パネル本体とパネル部材との部分斜視展開図である。
【発明を実施するための形態】
【００２１】
本発明の車両におけるインスツルメントパネル装置に関し、車体の静止側部材に支持されるパネル本体へのパネル部材の取り付け作業が容易にできるようにしたものでありながら、上記パネル本体へのパネル部材の取り付けが強固になされるようにすると共に、パネル本体からのパネル部材の取り外し作業が容易にできるようにする、という目的を実現するため、本発明を実施するための形態は、次の如くである。
【００２２】
即ち、車両におけるインスツルメントパネル装置は、車体内部の車室の前面を形成するインスツルメントパネルが、車体の静止側部材に支持されるパネル本体と、このパネル本体とは別体として設けられ、このパネル本体の後方側に配置されるパネル部材と、このパネル部材の下部を上記車体の静止側部材に係脱可能に係止する係止具と、上記パネル部材の上部から前方に向かって突出し、上記パネル本体に形成された係止孔に挿入されてこの係止孔の孔縁部に係脱可能に係止される係止突起とを備える。
【００２３】
上記パネル部材の上部から下方に向かって突出し、上記パネル本体に形成された係止部にその上方から係脱可能に係止される被係止部が設けられる。上記係止孔の上部に、上記パネル本体に対する上記係止突起の上方移動を許容する隙間が形成される。
【実施例】
【００２４】
本発明をより詳細に説明するために、その実施例を添付の図に従って説明する。
【００２５】
図において、符号１は、自動車で例示される車両の車体であって、矢印Ｆｒは、この車両の進行方向の前方を示している。また、下記する左右とは、上記前方に向かっての車体１の幅方向をいうものとする。
【００２６】
車体１は、この車体１の左右各側壁においてそれぞれ骨格部材を構成する不図示の左右フロントピラーと、車体１の幅方向に延び、上記左右フロントピラーに締結具により強固に架設される金属パイプ製のクロスメンバ２と、上下方向に延び、上記クロスメンバの長手方向の中途部と不図示のフロアパネルとに締結具により強固に架設されて上記クロスメンバ２を補強する金属パイプ製のブレース３と、上記クロスメンバ２およびブレース３の上部をその後方から全体的に覆うと共に、車体１内部の車室４の前面を形成する樹脂製のインスツルメントパネル５とを備えている。上記クロスメンバ２とブレース３とは、車体１の静止側部材７を構成する。
【００２７】
上記インスツルメントパネル５に係るインスツルメントパネル装置９につき、以下説明する。
【００２８】
上記インスツルメントパネル５は、このインスツルメントパネル５の大部分を構成して車体１の静止側部材７であるクロスメンバ２に不図示の締結具により強固に支持されるパネル本体１２と、このパネル本体１２とは別体として設けられ、このパネル本体１２の車体１の幅方向における中途部かつ下部の後方側（車室４側）に配置されるパネル部材１３とを備えている。
【００２９】
上記パネル部材１３は、具体的には、小物用の物入れ容器１５であって、この物入れ容器１５は、車体１の前後方向で対面する前、後面板１６，１７と、車体１の幅方向で対面し、上記前、後面板１６，１７の各側端縁部を互いに一体的に結合する左、右側面板１８，１９と、これら各板１６〜１９で囲まれた空間の下端開口を閉じる底面板２０とを有し、上記空間が上方に向かって開口し小物を出し入れ可能とする物入れ空間２１とされる。この場合、上記左、右側面板１８，１９の各前部は上記前面板１６よりも前方に突出している。
【００３０】
前記ブレース３の長手方向の中途部は上記左、右側面板１８，１９の各後部の間に位置している。これら左、右側面板１８，１９のうち、右側面板１９の後下部を上記静止側部材７であるブレース３に係脱可能に係止する樹脂製の係止具２４が設けられ、この係止具２４の軸心２５は車体１の幅方向に延びている。
【００３１】
上記パネル部材１３である物入れ容器１５の左側面板１８の後上部、および前面板１６の右側部の前上部からそれぞれ前方に向かって突出し、上記パネル本体１２に形成された左、右係止孔２７，２８に挿入されてこれら左、右係止孔２７，２８の孔縁部に係脱可能に係止される左、右係止突起３０，３１が設けられる。これら各左、右係止突起３０，３１は、車体１の平面視で、それぞれ矢先形状をなしている。
【００３２】
上記パネル部材１３である物入れ容器１５の右側面板１９の上端部から下方に向かって一体的に突出し、上記パネル本体１２に形成された係止孔で例示される係止部３５にその上方から係脱可能に係止される被係止部３６が設けられる。この場合、係止部３５および被係止部３６は、上記右係止孔２８および右係止突起３１の上方に位置し、かつ、上下方向で互いに近傍に位置している。
【００３３】
上記左、右係止孔２７，２８のうち、右係止孔２８の上部に、上記パネル本体１２に対する上記右係止突起３１の上方移動Ａを許容する隙間３８が形成される。
【００３４】
上記構成によれば、車体１の静止側部材７に支持されるパネル本体１２へのパネル部材１３の取り付けは、パネル本体１２の係止孔２８にパネル部材１３の係止突起３１が係止されることに加え、上記パネル本体１２の係止部３５に上記パネル部材１３の被係止部３６が係止されることにより達成されるのであって、締結具を用いないことから、上記パネル本体１２へのパネル部材１３の取り付け作業は容易にできる。
【００３５】
そして、上記したように、パネル本体１２へのパネル部材１３の取り付けは、上記した係止孔２８への係止突起３１の係止に加え、上記係止部３５への被係止部３６の係止により達成されるため、上記パネル本体１２へのパネル部材１３の取り付けは強固になされる。よって、上記パネル部材１３である物入れ容器１５にその上方から与えられる乗員からの外力や物入れ容器１５に入れた小物からの外力が大きくて、この物入れ容器１５が上記係止具２４を中心として後方に回動しようとしても、上記物入れ容器１５がパネル本体１２に対し後方に変位することは阻止されて、このパネル本体１２へのパネル部材１３である物入れ容器１５の建付け精度が良好に維持される。
【００３６】
一方、上記パネル本体１２からパネル部材１３である物入れ容器１５を取り外す取り外し作業をする場合には、まず、ブレース３に対するパネル部材１３の上記係止具２４による係止を解除する（図３中二点鎖線）。次に、パネル本体１２の係止部３５に対するパネル部材１３の被係止部３６の係止方向である下方とは逆に、パネル本体１２の係止部３５に対しパネル部材１３と共に被係止部３６を上方移動Ａさせて上記係止部３５への被係止部３６の係止を解除する（図１中一点鎖線）。また、この際、上記パネル部材１３の上方移動Ａと共に、上記係止部３５および被係止部３６の下方に位置する上記右係止突起３１も、上記右係止孔２８への係止状態を維持したまま、もしくはこの係止が解除されつつ上方移動Ａするが、この際の係止突起３１の上方移動Ａは、上記係止孔２８の上部に形成された隙間３８により許容される（図１中一点鎖線）。
【００３７】
よって、前記したようにパネル本体１２へのパネル部材１３の取り付けを強固にするために上記係止部３５およびこの係止部３５に係止される被係止部３６を設けたが、これら係止部３５への被係止部３６の係止の解除は、上記係止孔２８への係止突起３１の係止状態に邪魔されることなく容易にできる。この結果、上記パネル本体１２からのパネル部材１３の取り外し作業が容易にできる。なお、上記パネル本体１２へのパネル部材１３の取り付け作業は、上記取り外し作業とは逆の手順によればよい。
【００３８】
また、上記したように、パネル本体１２からパネル部材１３を取り外す作業を容易にさせることは、主に、上記右係止突起３１の上方移動Ａを許容する隙間３８を上記右係止孔２８に形成したことにより達成されることから、上記したパネル部材１３の取り外し作業の容易化は簡単な構成で達成できる。
【００３９】
なお、上記パネル部材１３はセンターコンソールであってもよい。また、上記係止突起３０，３１は、上記パネル部材１３に突設される基部材と、この基部材の突出端部に取り付けられる矢先状の係止部本体とで構成してもよい。また、上記係止部３５および被係止部３６は上記右係止孔２８および右係止突起３１の下方に設けてもよい。また、上記左係止孔２７の上部に上記した作用を有する隙間３８を形成してもよい。
【符号の説明】
【００４０】
１    車体
２    クロスメンバ
３    ブレース
４    車室
５    インスツルメントパネル
７    静止側部材
９    インスツルメントパネル装置
１２  パネル本体
１３  パネル部材
１５  物入れ容器
１６  前面板
１７  後面板
１８  側面板
１９  側面板
２０  底面板
２１  物入れ空間
２４  係止具
２５  軸心
２８  係止孔
３１  係止突起
３５  係止部
３６  被係止部
３８  隙間
Ａ    上方移動
【図１】
2015182754.tif 000003
【図２】
2015182754.tif 000004
【図３】
2015182754.tif 000005
【図４】
2015182754.tif 000006